【手続補正書】
【提出日】平成20年2月18日(2008.2.18)
【手続補正１】
【補正対象書類名】特許請求の範囲
【補正対象項目名】全文
【補正方法】変更
【補正の内容】
【特許請求の範囲】
【請求項１】
ポリ(N-ビニルラクタム)、多糖類および水を含み、ポリ(N-ビニルラクタム)の質量対多糖類の質量比が約5：1〜約75：1であり、ハイドロゲル組成物が完全に可逆性であることを特徴とする、哺乳類の体腔また身体開口部への微生物の侵入を防止するためのヒドロゲル組成物。
【請求項２】
ポリ(N-ビニルラクタム)の質量対多糖類の質量の比の範囲の上限が、約５０：1である、請求項１記載のヒドロゲル組成物。
【請求項３】
ポリ(N-ビニルラクタム)の質量対多糖類の質量の比の範囲の上限が、約３０：1である、請求項１記載のヒドロゲル組成物。
【請求項４】
ポリ(N-ビニルラクタム)の質量対多糖類の質量の比の範囲の下限が、約１２：1である、請求項１記載のヒドロゲル組成物。
【請求項５】
ポリ(N-ビニルラクタム)の質量対多糖類の質量の比の範囲の下限が、約１３：1である、請求項１記載のヒドロゲル組成物。
【請求項６】
約25質量％〜約90質量％の水を含む、請求項１〜５のいずれか１項記載のヒドロゲル組成物。
【請求項７】
ポリ(N-ビニルラクタム)が、N-ビニルラクタムのホモポリマー、コポリマー、ターポリマー；またはこれらの混合物である、請求項１〜６のいずれか１項記載のヒドロゲル組成物。
【請求項８】
ポリ(N−ビニルラクタム)が、N-ビニルピロリドン、N-ビニルブチロラクタム、N-ビニルカプロラクタム、およびこれらの混合物からなる群から選ばれる、請求項７記載のヒドロゲル組成物。
【請求項９】
ポリ(N-ビニルラクタム)が、N-ビニルラクタムと共重合させたビニルモノマーを含む、請求項７記載のヒドロゲル組成物。
【請求項１０】
前記ビニルモノマーが、アクリレート、ヒドロキシアルキルアクリレート、メタクリレート、アクリル酸、メタクリル酸、アクリルアミド、およびこれらの混合物からなる群から選ばれる、請求項９記載のヒドロゲル組成物。
【請求項１１】
前記ホモポリマーが、ポリビニルピロリドン(PVP)である、請求項７記載のヒドロゲル組成物。
【請求項１２】
前記コポリマーが、ビニルピロリドンコポリマーおよびアクリルアミドコポリマーからなる群から選ばれる、請求項７記載のヒドロゲル組成物。
【請求項１３】
前記ターポリマーが、ビニルピロリドンターポリマー、ビニルカプロラクタムターポリマー、およびジメチルアミノエチルメタクリレートターポリマーからなる群から選ばれる、請求項７記載のヒドロゲル組成物。
【請求項１４】
多糖類が、キチン、脱アセチル化キチン、キトサン、キトサン塩類、キトサンソルベート、キトサンプロピオネート、キトサンラクテート、キトサンサリチレート、キトサンピロリドンカルボキシレート、キトサンイタコネート、キトサンナイアシネート、キトサンホルメート、キトサンアセテート、キトサンガラート、キトサングルタメート、キトサンマレート、キトサンアスパラテート、キトサングリコネート、第四級アミン置換キトサン塩、N-カルボキシメチルキトサン、O-カルボキシメチルキトサン、N,-O-カルボキシメチルキトサン、等価のブチルキトサン誘導体、セルロース誘導体、アルキルセルロース、ニトロセルロース、ヒドロキシプロピルセルロース、澱粉、澱粉誘導体、メチルグルセス誘導体、コラーゲン、アルギネート、ヒアルロン酸、ヘパリン、ヘパリン誘導体、およびこれらの組合せからなる群から選ばれる、請求項１〜１３のいずれか１項記載のヒドロゲル組成物。
【請求項１５】
稠度改良剤、性能改良剤、架橋剤、またはこれらの混合物をさらに含む、請求項１〜１４のいずれか１項記載のヒドロゲル組成物。
【請求項１６】
前記稠度改良剤および/または性能改良剤が、ポリビニルアルコール、ポリ酢酸ビニル、ポリエチレンオキサイド、ポリ(2-ヒドロキシエチルメタクリレート)、メチルビニルエーテル-コ-無水マレイン酸、ポリ(エチレン-コ-酢酸ビニル)、ポリエチレングリコールジアクリレート、ポリ(N-イソプロピルアクリルアミド)、ポリウレタン、ポリエチレンイミン、ポリペプチド類、ケラチン類、ポリビニルピロリドン/ポリエチレンイミン、ポリビニルピロリドン/ポリカルバミル/-ポリグリコールエステル、ポリビニルピロリドン/ジメチルアミノエチルメタクリレート/ポリカルバミル/ポリグリコールエステル、ポリビニルピロリドン/ジメチコニルアクリレート/ポリカルバミル/ポリグリコールエステル、レシチン、並びにこれらのコポリマー、誘導体およびこれらの組合せからなる群から選ばれる、請求項１５記載のヒドロゲル組成物。
【請求項１７】
90質量％までのポリ(N-ビニルラクタム)を、前記稠度および/または性能改良コポリマーで置換える、請求項１５記載のヒドロゲル組成物。
【請求項１８】
前記架橋剤が、グルタルアルデヒド、ゲニピン、アジリジン誘導体、カルボジミド誘導体、コロイド状シリカ、コロイド状アルミナ、コロイド状二酸化チタン、ポリアミノシラン類、エポキシ類、第一級ポリアミン類、ジアルデヒド類、アクロレイン反応生成物からのポリアルデヒド類、パラホルムアルデヒド、アクリルアミド、ポリエチレンイミン、およびこれらの組合せからなる群から選ばれる、請求項１５記載のヒドロゲル組成物。
【請求項１９】
治療効果増強剤をさらに含む、請求項１〜１８のいずれか１項記載のヒドロゲル組成物。
【請求項２０】
前記治療効果増強剤が、抗微生物剤、抗菌剤、抗真菌剤、抗カンジダ症剤、消毒剤、殺生剤、殺菌剤、防腐剤、抗ウイルス剤、殺精子剤、殺菌剤、滅菌剤、清浄化成分、防臭剤、防腐薬、殺胞子剤、調合薬、動物製剤、抗生剤、抗炎症剤、植物または種子抽出物、植物抽出物誘導体、漢方薬、保湿剤、およびこれらの組合せからなる群から選ばれる、請求項１９記載のヒドロゲル組成物。
【請求項２１】
前記治療効果増強剤が、抗菌性銀塩；銀ゼオライト類；銀スルファジアジン；エチルアルコール；イソプロピルアルコール；ベンジルアルコール；プロピオン酸；ソルビン酸；サリチル酸；ウンデカン酸；漂白剤；ヨウ素；ヨードフォア；ヨウ化カリウム；ドデシルベンゼンスルホン酸；過酸化物類；ブロノポール；タービナフィン；ミコナコール；エコナコール；クロトリマゾール；トルナフタート；トリクロサン；トリクロカルバン；第四級アンモニウム化合物；ベンズアルコニウムハロゲナイド類；ポリクォート類；ポリクォタニウム誘導体；ホルムアルデヒド放出性化合物；ヘキセチジン；クロルヘキシジン；クロルヘキシジン誘導体；亜鉛ピリチオン；酸化亜鉛；プロピオン酸亜鉛；パラベン類；フェノキシエタノール；オクトキシノール-9；ノノキシノール-9；リシノール酸；フェノール酢酸第二水銀；イオウ；乳酸；タイムレッド、オールスパイス、シナモンおよびキダチハッカのエッセンシャルオイル；ローズマリー、エキナシア、イラクサ、フェンネル、ジュニパー、チョウセンニンジン、ルリヂサ、ゲルセミウム、マンサク、洋種ヤマゴボウ、アルニカ、トリカブト、ミツバチ、ムラサキセンダイハギ、ヒノキ科クロベ属の木、アロエ（バルバデンシス、べラ、カペンシス)、緑茶、キンレンカ、ブリオニア、ヒヨドリバナおよびカモミルの抽出物；アシクロビル；イドキシウミジン；リバビリン；ビダラビン；リマンタジン；アスピリン；ビタミンAおよびビタミンA誘導体；ビタミンEおよびビタミンE誘導体；ビタミンCおよびビタミンC誘導体；ベータカロチン；ベタメタゾン；デクサメタゾン；コルチノン；グリセリン；およびこれらの組合せからなる群から選ばれる、請求項２０記載のヒドロゲル組成物。
【請求項２２】
前記治療効果増強剤が、前記組成物の約20質量％までを構成する、請求項１９記載のヒドロゲル組成物。
【請求項２３】
15質量％〜75質量％の水を、エチルアルコールまたはイソプロピルアルコールで置換える、請求項１記載のヒドロゲル組成物。
【請求項２４】
対照染料、食用染料、化粧用染料、FD&C染料またはD&C承認染料からなる群から選ばれる染料をさらに含む、請求項１〜２３のいずれか１項記載のヒドロゲル組成物。
【請求項２５】
硫酸バリウム、ヨウ素有機物、ヨウ素ポリマー、ヨウ素造影剤、ビスマス有機物およびタングステン粒子からなる群から選ばれる放射線不透過性添加剤をさらに含む、請求項１〜１８のいずれか１項記載のヒドロゲル組成物。
【請求項２６】
体腔が、自然体腔または損傷に由来する体腔である、請求項１〜２５のいずれか１項記載のヒドロゲル組成物。
【請求項２７】
自然体腔が、耳の三半規管、目、鼻管、口、生殖口、直腸口、皺または腺開口部である、請求項２６項記載のヒドロゲル組成物。
【請求項２８】
前記腺開口部が、乳畜の乳腺の乳頭管である、請求項２７記載のヒドロゲル組成物。
【請求項２９】
前記組成物を、注射装置、注入装置、アプリケーターまたはプラスチックシリンジによって適用する、請求項１〜２８のいずれか１項記載のヒドロゲル組成物。
【請求項３０】
ポリ(N-ビニルラクタム)、多糖類、水および殺精子剤を含み、ポリ(N-ビニルラクタム)の質量対多糖類の質量比が約5：1〜約75：1であり、ハイドロゲル組成物が完全に可逆性であり、該組成物が約25質量％〜55質量％の水を含むことを特徴とする、避妊用ヒドロゲル。
【請求項３１】
ポリ(N-ビニルラクタム)の質量対多糖類の質量比が約5：1〜約75：1であり、ハイドロゲル組成物が完全に可逆性であることを特徴とする、哺乳類の体腔また身体開口部への微生物の侵入を防止するためのヒドロゲル組成物の調製における、ポリ(N-ビニルラクタム)、多糖類および水の使用。
【請求項３２】
体腔に、ポリ(N-ビニルラクタム)、多糖類および水を含むヒドロゲル組成物であって、ポリ(N-ビニルラクタム)の質量対多糖類の質量比が約5：1〜約75：1であり、ハイドロゲル組成物が完全に可逆性であることを特徴とする組成物を適用し、それによって体腔中への微生物の侵入を抑制することを特徴とする、哺乳類（ヒトを除く）の体腔中への微生物の侵入の抑制方法。
【請求項３３】
体腔が、自然体腔または損傷に由来する体腔である、請求項３２記載の方法。
【請求項３４】
自然体腔が、耳の三半規管、目、鼻管、口、生殖口、直腸口、皺または腺開口部である、請求項３３記載の方法。
【請求項３５】
前記腺開口部が、乳畜の乳腺の乳頭管である、請求項３４記載の方法。
【請求項３６】
前記組成物を、注射装置、注入装置、アプリケーターまたはプラスチックシリンジによって適用する、請求項３２記載の方法。
【請求項３７】
前記組成物が、約25質量％〜約90質量％の水を含む、請求項３２記載の方法。
【請求項３８】
前記組成物が、抗微生物剤、抗菌剤、抗真菌剤、抗カンジダ症剤、消毒剤、殺生剤、殺菌剤、防腐剤、抗ウイルス剤、殺精子剤、殺菌剤、滅菌剤、清浄化成分、防臭剤、防腐薬、殺胞子剤、調合薬、動物製剤、抗生剤、抗炎症剤、植物または種子抽出物、植物抽出物誘導体、漢方薬、保湿剤、およびこれらの混合物からなる群から選ばれる治療効果増強剤をさらに含む、請求項３２記載の方法。